(57)【要約】      （修正有）【課題】熱いものを入れても外周面が高温にならないように構成した断熱コップを提供する。【解決手段】コップ１と、リング２と、スリーブ３を含む断熱コップである。前記コップは、開口１１と、密封端１２と、前記開口と前記密封端の間に位置する本体１３を含む。前記開口のエッジは外側に屈曲されて凸縁１４になっている。前記リング２は、両端に開口２２が設けられ、前記本体１３の周面に嵌めて固定可能である。リングには複数の穴３１が開設され、これにより、前記スリーブ３の内周面と前記本体１３の外周面の間に断熱空間が形成される。前記スリーブ３は、両端に開口３１を有し、前記リング２に嵌着可能であり、その開口の上端が前記コップの凸縁１４の底部に当接される。【選択図】図１
0003142145.tif 000002
【実用新案登録請求の範囲】
【請求項１】
コップとリングとスリーブを含む断熱コップであって、前記コップは、開口と密封端と前記開口と前記密封端の間に位置する本体を含み、前記開口のエッジが外側に屈曲されて凸縁になり、前記リングは、前記コップの本体の周面に嵌めて固定できるよう両端に開口を有する筒状体に形成され、前記スリーブの内周面と前記本体の外周面の間に断熱空間を形成するよう周面に複数の穴が開設され、前記スリーブは、前記リングに嵌着できるよう両端に開口が設けられ、その開口の上端が前記コップの凸縁に当接されていることを特徴とする断熱コップ。
【請求項２】
前記リングは、弾性を有する材料で作製されたものであることを特徴とする請求項１に記載の断熱コップ。
【請求項３】
コップとリングとスリーブを含む断熱コップであって、前記コップは、開口と密封端と前記開口と前記密封端の間に位置する本体を含み、前記開口のエッジが外側に屈曲されて凸縁になり、前記リングは、前記コップの本体の周面に嵌めて固定可能な二つ以上のリング部材で構成され、前記リング部材の間には環状を呈する断熱空間が形成され、前記スリーブは、前記リングに嵌着できるよう両端に開口が設けられ、その開口の上端が前記コップの凸縁に当接されていることを特徴とする断熱コップ。
【請求項４】
前記リングは、弾性を有する材料で作製されたものであることを特徴とする請求項３に記載の断熱コップ。
【請求項５】
上記スリーブの底部には内側に屈曲する内方リング部が形成されている請求項１から４のいずれかに記載の断熱コップ。
【考案の詳細な説明】
【技術分野】
【０００１】
本考案は、断熱コップに関し、特に、熱いものを入れても外周面が高温にならないように構成した断熱コップに関するものである。
【背景技術】
【０００２】
従来の断熱コップは、図５及び図６に示すように、熱い飲料を入れても外周面が高温にならないようにするための、開口が上に向いているメーン容器６と、多数の凹凸が設けられ前記メーン容器６の外周面を覆っている覆い体７を含んでいる。そして、前記覆い体７は、一般に、ダンボール紙を採用しているが、下記のような欠点があった。
【０００３】
（１）覆い体７がメーン容器６の外周面を単に覆っているだけで、メーン容器６に貼り付けられていないので、メーン容器６がスライドし易く、メーン容器内に収容されている飲料がこぼれ出し易い。
（２）覆い体７がメーン容器６の外周面に接した状態でメーン容器を覆っており、覆い体７を握るときに覆い体７が凹み易いから、飲料が高温のときには覆い体７に飲料の熱が直接熱伝導され、覆い体７の外周面が高温になる。
【０００４】
（３）覆い体７の周面には凹凸が多数に設けられているので、綺麗なパターンを印刷することができない。
（４）覆い体７の周面には凹凸が多数に設けられているので、紙の使用量が増加し、生産コストが増加する。
【考案の開示】
【考案が解決しようとする課題】
【０００５】
本考案の主な目的は、熱いものを入れても外周面が高温にならない断熱コップを提供することにある。
【課題を解決するための手段】
【０００６】
本考案の請求項１に記載によると、コップとリングとスリーブを含む断熱コップであって、前記コップは、開口と密封端と前記開口と前記密封端の間に位置する本体を含み、前記開口のエッジが外側に屈曲されて凸縁になり、前記リングは、前記コップの本体の周面に嵌めて固定できるよう両端に開口を有する筒状体に形成され、前記スリーブの内周面と前記本体の外周面の間に断熱空間を形成するよう周面に複数の穴が開設され、前記スリーブは、前記リングに嵌着できるよう両端に開口が設けられ、その開口の上端が前記コップの凸縁に当接されていることを特徴とする断熱コップが提供される。
本考案の請求項２に記載によると、請求項１において、前記リングは、弾性を有する材料で作製されたものである断熱コップが提供される。
【０００７】
本考案の請求項３に記載によると、コップとリングとスリーブを含む断熱コップであって、前記コップは、開口と密封端と前記開口と前記密封端の間に位置する本体を含み、前記開口のエッジが外側に屈曲されて凸縁になり、前記リングは、前記コップの本体の周面に嵌めて固定可能な二つ以上のリング部材で構成され、前記リング部材の間には環状を呈する断熱空間が形成され、前記スリーブは、前記リングに嵌着できるよう両端に開口が設けられ、その開口の上端が前記コップの凸縁に当接されていることを特徴とする断熱コップが提供される。
また、本考案の請求項４によると、請求項３において、前記リングは、弾性を有する材料で作製されたものである断熱コップが提供される。
【０００８】
（考案の効果）
本考案の断熱コップによれば、次のような効果がある。
（１）本体１３の周面にリング２を緊密に固定することができ、且つスリーブ３の開口３１の上端がコップ１の凸縁１４に当接されているので、コップ１はスライドすることがなく、収容されている飲料はこぼれ出さなくなる。
（２）リング２は本体１３とスリーブ３の間に介在されているので、本体１３が更に強固になる。
【０００９】
（３）リング２には複数の穴が開設されており、又は二つ以上のリング部材２ａの間には環状を呈する断熱空間４が形成されているので、コップを握った際にスリーブ３が凹んでも、スリーブ３の内周面が本体１３の外周面に直接接触しないので、飲料の熱がスリーブ３に直接熱伝導されず、スリーブ３の外周面が高温にならない。
（４）スリーブ３の周面はスムーズなので、綺麗なパターンを印刷することができる。
（５）スリーブ３の周面はスムーズなので、紙の使用量が減少し、生産コストを低減可能である。
【考案を実施するための最良の形態】
【００１０】
以下、本考案の実施の形態を図面に基づいて説明する。まず、図１及び図２を参照する。本考案に係る断熱コップは、コップ１と、リング２と、スリーブ３とを含んでいる。
コップ１は、紙、樹脂、又は環境に優しい他の耐熱食品クラスの材料で形成され、開口１１と、密封端１２と、開口１１と密封端１２の間に位置する本体１３を含み、開口１１のエッジが外側に屈曲して凸縁１４を形成している。
【００１１】
リング２は、両端に開口２１を有する筒状体に形成され、本体１３の周面に嵌めて固定できるよう弾性を有する材料（例えばゴムなど）で作製されている。この弾性により、本体１３の周面に嵌挿した際リング２を緊密に固定することができる。また、該リング２には複数の穴２２が開設される。この穴によりスリーブ３の内周面と本体１３の外周面の間に断熱空間４が形成される。
【００１２】
図３及び図４は、リングの他の実施例を示し、二つ以上のリング部材２ａでリングを形成している。この構成によれば、断熱空間４は、二以上のリング部材２ａの間に形成された環状の隙間となっている。このように、断熱空間は、種々の構造であってもよい。
【００１３】
スリーブ３は、紙、樹脂、又は環境に優しい他の耐熱食品クラスの材料で形成され、両端に開口３１が設けられており、上記本体に固定したリング２に嵌着可能である。そして嵌着した際その開口３１の上端がコップ１の凸縁１４に当接される。なお、スリーブ３の底部には、エッジが内側に屈曲されて内リング部３２が形成されている。これにより、スリーブ３と本体１３の間には断熱空間５が形成されるから、飲料の高温がスリーブ３に直接に熱伝導されず、スリーブ３の外周面が高温になることを防止できる。
【００１４】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１５】
【図１】本考案に係る断熱コップの分解斜視図である。
【図２】本考案に係る断熱コップの断面図である。
【図３】本考案の実施例２に係る断熱コップの断面図である。
【図４】本考案の実施例２に係る断熱コップの分解斜視図である。
【図５】従来の断熱コップの平面図である。
【図６】従来の断熱コップの斜視図である。
【符号の説明】
【００１６】
１：コップ、２：リング、２ａ：リング部材、３：スリーブ、４：断熱空間、５：断熱空間、１１：開口、１２：密封端、１３：本体、１４：凸縁、２１：開口、２２：穴、３１：開口、３２：内リング部
【図１】
0003142145.tif 000003
【図２】
0003142145.tif 000004
【図３】
0003142145.tif 000005
【図４】
0003142145.tif 000006
【図５】
0003142145.tif 000007
【図６】
0003142145.tif 000008